(57)【特許請求の範囲】
【請求項１】
オーディオデータを再生し、送信するオーディオデータ送信装置と通信可能に接続され、前記オーディオデータを受信するオーディオデータ制御装置であって、
前記オーディオデータを受信するオーディオデータ受信部と、
前記オーディオデータ受信部により受信したオーディオデータを、外部に出力するオーディオデータ出力部と、
前記オーディオデータ受信部により受信したオーディオデータの一部を、前記オーディオデータ受信部の受信と同期して記憶するバッファと、
前記オーディオデータとは別に前記オーディオデータ送信装置から送信され、前記オーディオデータ送信装置との接続異常の有無を判定する接続判定情報を受信する判定情報受信部と、
前記判定情報受信部によって受信された前記接続判定情報に基づいて、前記オーディオデータ送信装置との接続異常が生じたか否かを判定する接続異常判定部と、
前記接続異常判定部により、接続異常または接続異常とみなせると判定されたら、前記バッファ内に記憶されたオーディオデータを、繰り返し再生するループ再生制御部と、を備えていることを特徴とするオーディオデータ制御装置。
【請求項２】
オーディオデータを再生し、送信するオーディオデータ送信装置と通信可能に接続され、前記オーディオデータを受信するオーディオデータ制御装置であって、
前記オーディオデータには、接続異常の有無を判定する接続判定情報が重畳され、
前記オーディオデータを受信するオーディオデータ受信部と、
前記オーディオデータ受信部により受信したオーディオデータを、外部に出力するオーディオデータ出力部と、
前記オーディオデータ受信部により受信したオーディオデータの一部を、前記オーディオデータ受信部の受信と同期して記憶するバッファと、
前記オーディオデータに重畳され、前記オーディオデータとは異なる前記接続判定情報に基づいて、前記オーディオデータ送信装置との接続異常が生じたか否かを判定する接続異常判定部と、
前記接続異常判定部により、接続異常または接続異常とみなせると判定されたら、前記バッファ内に記憶されたオーディオデータを、繰り返し再生するループ再生制御部と、を備えていることを特徴とするオーディオデータ制御装置。
【請求項３】
請求項２に記載のオーディオデータ制御装置において、
前記接続判定情報は、前記オーディオデータ中に所定のタイミングで重畳されるフラグ情報であることを特徴とするオーディオデータ制御装置。
【請求項４】
オーディオデータ制御装置と通信可能に接続され、前記オーディオデータ制御装置に再生したオーディオデータを送信するオーディオデータ送信装置であって、
圧縮されたオーディオデータを再生するオーディオデータ再生部と、
前記オーディオデータ再生部によって再生されたオーディオデータと、接続異常の有無を前記オーディオデータ制御装置が判定する接続判定情報と、をそれぞれ別に送信するオーディオデータ送信部と、
を備えていることを特徴とするオーディオデータ送信装置。
【請求項５】
コンピュータを、請求項４に記載のオーディオデータ送信装置として機能させることを特徴とするオーディオデータ送信プログラム。
【請求項６】
再生されたオーディオデータを送信するオーディオデータ送信装置と、前記オーディオデータ送信装置と通信可能に接続され、前記再生されたオーディオデータを受信するオーディオデータ制御装置との間で行われるオーディオデータ送受信方法であって、
前記オーディオデータ送信装置により、
圧縮されたオーディオデータを再生する手順と、
再生されたオーディオデータと、接続異常の有無を判定する接続判定情報と、をそれぞれ別に送信する手順と、
を実施し、
前記オーディオデータ制御装置により、
前記オーディオデータを受信する手順と、
前記オーディオデータとは別に送信された前記接続判定情報を受信する手順と、
受信された前記接続判定情報に基づいて、前記オーディオデータ送信装置および前記オーディオデータ制御装置間の接続異常が生じたか否かを判定する手順と、
接続異常が生じたまたは接続異常とみなせると判定されたら、受信された前記オーディオデータの一部を繰り返し再生する手順と、
を実施することを特徴とするオーディオデータ送受信方法。
【請求項７】
再生されたオーディオデータを送信するオーディオデータ送信装置と、前記オーディオデータ送信装置と通信可能に接続され、前記再生されたオーディオデータを受信するオーディオデータ制御装置との間で行われるオーディオデータ送受信方法であって、
前記オーディオデータ送信装置により、
圧縮されたオーディオデータを再生する手順と、
再生されたオーディオデータに、接続異常の有無を判定する接続判定情報を重畳させる手順と、
を実施し、
前記オーディオデータ制御装置により、
前記オーディオデータを受信する手順と、
前記オーディオデータに重畳され、前記オーディオデータとは異なる前記接続判定情報を受信する手順と、
受信された前記接続判定情報に基づいて、前記オーディオデータ送信装置および前記オーディオデータ制御装置間の接続異常が生じたか否かを判定する手順と、
接続異常が生じたまたは接続異常とみなせると判定されたら、受信された前記オーディオデータの一部を繰り返し再生する手順と、
を実施することを特徴とするオーディオデータ送受信方法。
【発明の詳細な説明】
【技術分野】
【０００１】
本発明は、オーディオデータ制御装置、オーディオデータ送信装置、オーディオデータ送受信方法、およびオーディオデータ送信プログラムに関する。
【背景技術】
【０００２】
楽曲に合わせてダンスを楽しむクラブ等では、ＤＪがフロアの雰囲気に合った楽曲を選曲し、音が途切れないように再生を行うことが求められる。万一、オンエア中に楽曲の再生が途切れてしまうと、盛り上がっている場の雰囲気がさめてしまうため、避けなければならない。
特許文献１に記載の技術では、外部から供給される楽曲データを蓄積するバッファ内の蓄積データ量を監視し、バッファ内の蓄積データ量が所定の量以下となったら、外部からの供給が途絶えたと判定し、記憶装置内の代替コンテンツを選択し、代替楽曲を再生することにより、楽曲の再生が途切れないようにしている。
【先行技術文献】
【特許文献】
【０００３】
【特許文献１】特開２０１４−１０８４９号公報
【発明の概要】
【発明が解決しようとする課題】
【０００４】
しかしながら、前記特許文献１に記載の技術では、楽曲データの一定量をバッファに蓄積するため、実際の再生には、時間の遅れが生じてしまう。このため、バッファ内に蓄積された楽曲データを先読み処理し、蓄積データ量の監視を行わなければならないが、操作者が、スクラッチ、キュー等の再生速度低下、再生停止操作等を行うと、先読み処理との同期がとれなくなってしまうという課題がある。
また、記憶装置内の代替コンテンツを選択して、代替楽曲を再生する場合、記憶装置内には、圧縮ファイルとして記憶されているため、圧縮ファイルの再生処理を行わなければならず、再生装置を必須の構成としなければならないという課題がある。【０００５】
本発明の目的は、簡単な構造で楽曲再生の途切れを防止することができ、再生制御にあたり、再生装置を必須の構成とすることのない、オーディオデータ制御装置、オーディオデータ送信装置、オーディオデータ送受信方法、およびオーディオデータ送信プログラムを提供することにある。
【課題を解決するための手段】
【０００６】
本発明のオーディオデータ制御装置は、
オーディオデータを再生し、送信するオーディオデータ送信装置と通信可能に接続され、前記オーディオデータを受信するオーディオデータ制御装置であって、
前記オーディオデータ送信装置との接続異常の有無を判定する接続判定情報を受信する判定情報受信部と、
前記オーディオデータを受信するオーディオデータ受信部と、
前記オーディオデータ受信部により受信したオーディオデータを、外部に出力するオーディオデータ出力部と、
前記オーディオデータ受信部により受信したオーディオデータの一部を、前記オーディオデータ受信部の受信と同期して記憶するバッファと、
前記オーディオデータに重畳された接続判定情報に基づいて、前記オーディオデータ送信装置との接続異常が生じたか否かを判定する接続異常判定部と、
前記接続異常判定部により、接続異常または接続異常とみなせると判定されたら、前記バッファ内に記憶されたオーディオデータを、繰り返し再生するループ再生制御部と、を備えていることを特徴とする【０００７】
本発明のオーディオデータ制御装置は、
オーディオデータを再生し、送信するオーディオデータ送信装置と通信可能に接続され、前記オーディオデータを受信するオーディオデータ制御装置であって、
前記オーディオデータには、通信切断の有無を判定する接続判定情報が重畳され、
前記オーディオデータを受信するオーディオデータ受信部と、
前記オーディオデータ受信部により受信したオーディオデータの一部を、前記オーディオデータ受信部の受信と同期して記憶するバッファと、
前記オーディオデータに重畳された接続判定情報に基づいて、前記オーディオデータ送信装置との接続異常が生じたか否かを判定する接続異常判定部と、
前記接続異常判定部により、接続異常または接続異常とみなせると判定されたら、前記バッファ内に記憶されたオーディオデータを、繰り返し再生するループ再生制御部と、
を備えていることを特徴とする。【０００８】
本発明のオーディオデータ送信装置は、
オーディオデータ制御装置と通信可能に接続され、前記オーディオデータ制御装置に再生したオーディオデータを送信するオーディオデータ送信装置であって、
圧縮されたオーディオデータを再生するオーディオデータ再生部と、
再生されたオーディオデータに、通信切断の有無を判定する接続判定情報を重畳する接続判定情報重畳部と、
前記接続判定情報重畳部により接続判定情報が重畳されたオーディオデータを、送信するオーディオデータ送信部と、
を備えていることを特徴とする。【０００９】
再生されたオーディオデータを送信するオーディオデータ送信装置と、前記オーディオデータ送信装置と通信可能に接続され、前記オーディオデータを受信するオーディオデータ制御装置との間で行われるオーディオデータ送受信方法であって、
前記オーディオデータ送信装置により、
圧縮されたオーディオデータを再生する手順と、
再生されたオーディオデータに、通信切断の有無を判定する接続判定情報を重畳させる手順と、
を実施し、
前記オーディオデータ制御装置により、
前記接続判定情報が重畳されたオーディオデータを受信する手順と、
受信された接続判定情報に基づいて、前記オーディオ送信装置および前記オーディオデータ制御装置間の接続異常が生じたか否かを判定する手順と、
接続異常が生じたまたは接続異常とみなせると判定されたら、受信されたオーディオデータの一部を繰り返し再生する手順と、
を実施することを特徴とする。【００１０】
本発明のオーディオデータ送信プログラムは、コンピュータを、前述したオーディオデータ送信装置として機能させることを特徴とする。
【図面の簡単な説明】
【００１１】
【図１】本発明の実施形態に係る音響制御システムの構成を表す模式図。
【図２】前記実施形態における音響制御システムの機能ブロック図。
【図３】前記実施形態における作用を説明するためのフローチャート。
【図４】前記実施形態におけるオーディオデータおよびループ再生データの切り替えを説明するための模式図。
【発明を実施するための形態】
【００１２】
［１］オーディオデータ制御システム１の全体構成
図１には、本発明の実施形態に係るオーディオデータ制御システム１が示されている。オーディオデータ制御システム１は、ＤＪパフォーマンスにおける音響機器制御操作を行うシステムであり、オーディオデータ制御装置の例示となるＤＪコントローラ２、オーディオデータ送信装置の例示となるコンピュータ３、およびスピーカー４を備える。
ＤＪコントローラ２は、操作者が操作するＤＪ機器の本体部分であり、左右に配置される２つのプレーヤー部２Ａと、その間に配置されるミキサー部２Ｂとを備える。
【００１３】
左右に配置されるプレーヤー部２Ａは、操作者が操作して、再生するオーディオデータに種々の音響効果を付与する部分であり、ジョグダイヤル２Ｃ、テンポスライダー２Ｄ、およびパフォーマンスパッド２Ｅを備える。
ジョグダイヤル２Ｃは、操作者がジョグダイヤル２Ｃを操作して回転速度を変更するダイヤルである。ジョグダイヤル２Ｃを操作することにより、再生中の楽曲に対してスクラッチ、ピッチベンド等の音響処理を行うことができる。
【００１４】
テンポスライダー２Ｄは、コンピュータ３内に記憶されたオーディオデータのトラック再生速度を調整するレバーである。
パフォーマンスパッド２Ｅは、操作者が操作することにより、再生中の楽曲データに対して、瞬間的にループ、キュー、スライサー、サンプラー等のエフェクト処理を行うことができるボタンである。
【００１５】
中央に配置されるミキサー部２Ｂは、左右のプレーヤー部２Ａの音声出力やエフェクト処理を調整する部分であり、４つのミキシング部２Ｆからミキシング部２Ｉを備える。
それぞれのミキシング部２Ｆからミキシング部２Ｉは、左側の２つのミキシング部２Ｆ、２Ｇが左側のプレーヤー部２Ａの音声出力およびエフェクト処理の調整に用いられ、右側の２つのミキシング部２Ｈ、２Ｉが右側のプレーヤー部２Ａの音声出力調整およびエフェクト処理の調整に用いられる。
【００１６】
ＤＪコントローラ２は、双方向通信可能なＵＳＢ（Universal Serial Bus）規格に準拠したケーブル５を介してコンピュータ３と接続されている。なお、ケーブル５は、ＵＳＢ規格に準拠したものに限定される必要はなく、他の規格に準拠したものであってもよく、さらには、有線による接続だけでなく、無線で通信接続してもよい。
また、ＤＪコントローラ２は、アナログケーブル６を介してスピーカー４と接続されている。
【００１７】
コンピュータ３は、ハードディスク等の記憶装置３１（図２参照）を備え、記憶装置３１内に記憶されたＭＰ３等のオーディオデータＡＤ１、ＡＤ２、ＡＤ３、…を、デコーダ３２によってシリアルデータからなるオーディオデータに再生し、ケーブル５を介して、ＤＪコントローラ２に出力する。
コンピュータ３により再生されたオーディオデータは、ケーブル５を介してＤＪコントローラ２に出力され、操作者がＤＪコントローラ２を操作して行ったエフェクト処理に基づいて、演出効果が施され、アナログデータに変換されて、アナログケーブル６を介してスピーカー４に出力され、操作者の操作が施されたオーディオデータが音声出力される。
【００１８】
［２］オーディオデータ制御システム１の機能ブロック構成。
図２には、オーディオデータ制御システム１の機能ブロック図が示されている。
コンピュータ３は、記憶装置３１、演算処理装置上で実行されるオーディオデータ送信プログラムとしての、デコーダ３２、オーディオデータ送信部３３、および接続判定情報重畳部３４を備える。
記憶装置３１は、ハードディスク等の記憶媒体であり、複数のオーディオデータＡＤ１、ＡＤ２、ＡＤ３…が記憶されている。オーディオデータＡＤ１、ＡＤ２、ＡＤ３…は、圧縮された状態で記憶されており、たとえば、ＭＰ３（MPEG-1 Audio Layer3）形式等の圧縮ファイルとなっている。
【００１９】
オーディオデータ再生部として例示されるデコーダ３２は、ＭＰ３ファイルを再生してデジタル形式のオーディオデータＡＤ１、ＡＤ２、ＡＤ３…に変換する。
オーディオデータ送信部３３は、デコーダ３２によって再生されたオーディオデータＡＤ１、ＡＤ２、ＡＤ３…を、ケーブル５を介して、ＤＪコントローラ２に送信する。
接続判定情報重畳部３４は、デコーダ３２により再生されたオーディオデータＡＤ１、ＡＤ２、ＡＤ３…に接続判定情報を重畳させる。具体的には、接続判定情報重畳部３４は、複数のパケットからなるオーディオデータＡＤ１、ＡＤ２、ＡＤ３…に、フラグ情報が付与されたパケットを重畳させることにより、一連のシリアルデータとする。フラグ情報は、接続正常な場合を「１」、接続異常の場合を「２」といったフラグを所定の間隔で重畳させてもよく、接続異常の場合のみフラグ情報を重畳するようにしてもよい。さらには、接続判定情報は、フラグ情報という概念ではなく、接続異常とみなせる状態で判定してもよい。たとえば、接続判定は、再生されたオーディオデータそのものの送信の有無で判定してもよく、ＭＰ３ファイルに付加された付加情報の送信の有無で判定してもよい。
【００２０】
ＤＪコントローラ２は、オーディオデータ受信部２１、オーディオデータ出力部２２、バッファ２３、テンポ解析部２４、再生操作制御部２５、ループ再生制御部２６、および接続異常判定部２７を備える。
オーディオデータ受信部２１は、コンピュータ３から送信されたオーディオデータを受信し、オーディオデータ出力部２２に出力する。また、オーディオデータ受信部２１は、受信したオーディオデータの一部を、ループ再生データとして、バッファ２３内に格納する。
具体的には、オーディオデータ受信部２１は、オーディオデータ受信部２１で受信して、オーディオデータ出力部２２に出力するタイミングに同期して、たとえば、オーディオデータＡＤ１、ＡＤ２、ＡＤ３…の一小節分を、ループ再生データとしてバッファ２３内に格納する。
【００２１】
オーディオデータ出力部２２は、オーディオデータ受信部２１から出力されたオーディオデータＡＤ１、ＡＤ２、ＡＤ３…をアナログデータに変換して、アナログケーブル６に出力し、スピーカー４から音声を出力させる。
テンポ解析部２４は、オーディオデータ受信部２１で受信されたオーディオデータのテンポを解析する。具体的には、テンポ解析部２４は、受信されたオーディオデータにＬＰＦ（Low Pass Filter）処理を行い、所定の閾値以上の音圧レベル信号を検出し、検出された音圧レベル信号に基づいて、ＢＰＭ（Beat Per Minute）を算出し、テンポ解析を行う。
オーディオデータＡＤ１、ＡＤ２、ＡＤ３…の再生中、オーディオデータＡＤ１、ＡＤ２、ＡＤ３…を特徴付けるイントロ区間、Ａメロ区間、Ｂメロ区間、サビ区間、アウトロ区間等の特徴区間が展開され、テンポが変化した場合、テンポ解析部２４は、バッファ２３に変化後の一小節分のオーディオデータＡＤ１、ＡＤ２、ＡＤ３…を、ループ再生データとしてバッファ２３に格納する。
【００２２】
再生操作制御部２５は、操作者がジョグダイヤル２Ｃ、テンポスライダー２Ｄ、パフォーマンスパッド２Ｅ等を操作したら、その操作に応じたエフェクト処理を行って再生操作制御信号として、オーディオデータ出力部２２に出力する。オーディオデータ出力部２２は、再生操作制御部２５からの再生操作制御信号によるエフェクト処理を行って、オーディオデータをデジタル形式からアナログ形式の信号に変換する。
【００２３】
ループ再生制御部２６は、コンピュータ３およびＤＪコントローラ２間に接続異常が生じ、オーディオデータ受信部２１においてオーディオデータが受信できなくなった場合、バッファ２３内に格納されたループ再生データを、オーディオデータ出力部２２に出力し、ループ再生データを繰り返し再生することにより、スピーカー４から出力される音声が途切れることを防止する。
また、ループ再生制御部２６は、オーディオデータ受信部２１におけるオーディオデータの受信が再開したら、操作者がＤＪコントローラ２の所定のスイッチを操作したことを条件として、ループ再生データの出力から、オーディオデータ受信部２１で受信されるオーディオデータの出力に切り替える。なお、ループ再生制御部２６は、オーディオデータ受信部２１によるオーディオデータの受信の再開をトリガとして、自動的にループ再生データからオーディオデータへの切り替えを行うように構成してもよい。
【００２４】
判定情報受信部としても機能する接続異常判定部２７は、コンピュータ３から送信される接続判定情報を受信し、接続異常が生じたか否かを判定する。接続異常判定部２７は、フラグ情報が変化したか、フラグ情報が受信されたか、オーディオデータが受信されなくなったかの少なくともいずれかに基づいて、接続異常が生じたと判定し、その結果を、ループ再生制御部２６に出力する。なお、本実施形態では、接続異常判定部２７は、オーディオデータＡＤ１、ＡＤ２、ＡＤ３…に重畳された接続判定情報を受信しているが、これに限らず、オーディオデータＡＤ１、ＡＤ２、ＡＤ３…とは別にコンピュータ３から送信される接続判定情報を、接続異常判定部２７が受信するように構成してもよい。
ループ再生制御部２６では、接続異常判定部２７の異常判定をトリガとして、バッファ２３内のループ再生データの出力を行う。なお、接続異常が生じる場合としては、デコーダ３２のデコード誤り、ＤＪコントローラ２の誤操作、ケーブル５の断線、端子脱落、コンピュータ３の異常終了等が考えられる。
【００２５】
［３］実施形態の作用および効果
次に、本発明のオーディオデータ送受信方法について、図３に示されるフローチャートに基づいて、説明する。
操作者が、コンピュータ３を操作して、記憶装置３１内のオーディオデータＡＤ１、ＡＤ２、ＡＤ３…を選択し、選択したオーディオデータＡＤ１、ＡＤ２、ＡＤ３…の再生を開始すると、デコーダ３２は、記憶装置３１から選択されたオーディオデータＡＤ１、ＡＤ２、ＡＤ３…を呼び出し、オーディオデータＡＤ１、ＡＤ２、ＡＤ３…の再生を開始する（手順Ｓ１）。
【００２６】
接続判定情報重畳部３４は、再生されたオーディオデータＡＤ１、ＡＤ２、ＡＤ３…に所定のタイミングで接続判定情報を重畳させる（手順Ｓ２）。
オーディオデータ送信部３３は、接続判定情報が重畳されたオーディオデータＡＤ１、ＡＤ２、ＡＤ３…を、ケーブル５を介して、ＤＪコントローラ２に送信する（手順Ｓ３）。
ＤＪコントローラ２のオーディオデータ受信部２１は、コンピュータ３から送信されたオーディオデータＡＤ１、ＡＤ２、ＡＤ３…を受信し（手順Ｓ４）、オーディオデータ出力部２２に出力する（手順Ｓ５）。この際、オーディオデータ受信部２１は、オーディオデータＡＤ１、ＡＤ２、ＡＤ３…の出力のタイミングに同期して、一小節分のオーディオデータＡＤ１、ＡＤ２、ＡＤ３…の一部を、バッファ２３内にループ再生データとして格納する（手順Ｓ６）。
【００２７】
オーディオデータ出力部２２は、再生操作制御部２５から出力されたエフェクト処理に基づいて、オーディオデータＡＤ１、ＡＤ２、ＡＤ３…にエフェクト処理を行った後、デジタル−アナログ変換して、スピーカー４からアナログ音声を出力する（手順Ｓ７）。
接続異常判定部２７は、コンピュータ３から送信されたオーディオデータＡＤ１、ＡＤ２、ＡＤ３…に重畳された接続判定情報を受信し（手順Ｓ８）、接続異常が生じているか否かを判定する（手順Ｓ９）。
接続異常が生じていない場合、手順Ｓ１からを繰り返す。
【００２８】
接続異常判定部２７は、接続異常が生じたと判定されたら、エラーコードをループ再生制御部２６に出力する。ループ再生制御部２６は、バッファ２３内のループ再生データに切り替え、オーディオデータ出力部２２に出力し、ループ再生データの再生を行う（手順Ｓ１０）。
接続異常判定部２７は、接続判定情報が正常に復帰したか否かを判定し（手順Ｓ１１）、オーディオデータＡＤ１、ＡＤ２、ＡＤ３…の正常な受信が復帰していないと判定される場合は、ループ再生データの再生を繰り返す。
【００２９】
オーディオデータＡＤ１、ＡＤ２、ＡＤ３…の正常な受信に復帰したと判定されたら、ループ再生制御部２６は、ＤＪコントローラ２の操作者の操作により、オーディオデータに復帰させる旨の指令が入力されたか否かを判定する（手順Ｓ１２）。
復帰させる旨の指令が入力されない場合、ループ再生を維持し、復帰させる旨の指令が入力されたら、手順Ｓ１に戻り、オーディオデータの再生を再開する。
【００３０】
ここで、このような手順Ｓ１２を介在させたのは、図４に示されるように、オーディオデータＡＤ１、ＡＤ２、ＡＤ３…が出力される際のテンポＴ１と、バッファ２３に格納されるループ再生データのテンポＴ２は同期しているので、一致している。したがって、オーディオデータＡＤ１、ＡＤ２、ＡＤ３…からループ再生データの再生に滑らかに切り替えることができる。
一方、ループ再生データからオーディオデータＡＤ１、ＡＤ２、ＡＤ３…に復帰させる場合、オーディオデータＡＤ１、ＡＤ２、ＡＤ３…の復帰開始時のテンポＴ３は、ループ再生データのテンポＴ２と必ずしも一致しない。このため、ループ再生データのテンポＴ１から復帰したオーディオデータＡＤ１、ＡＤ２、ＡＤ３…に切り替えると、テンポに狂いが生じ、違和感を持ってしまう。
そこで、操作者は、ＤＪコントローラ２に接続されたモニターヘッドフォン等で復帰したオーディオデータＡＤ１、ＡＤ２、ＡＤ３…を確認し、ループ再生データのテンポＴ２に一致させるように切り替え処理を行う。
これにより、違和感のない切り替え処理を行うことができる。
【００３１】
このような本実施形態によれば、ＤＪコントローラ２内に接続異常判定部２７という簡単な機能的手段を設けるだけで、オーディオデータＡＤ１、ＡＤ２、ＡＤ３…が途切れたときに、ループ再生データによる再生に容易に切り替えることができる。
また、オーディオデータ受信部２１で受信されたオーディオデータＡＤ１、ＡＤ２、ＡＤ３…の一部をループ再生データとしてバッファ２３に格納しているので、ＤＪコントローラ２が、デコーダを必要とせず、ＤＪコントローラ２の簡素化を図ることができる。
【符号の説明】
【００３２】
１…オーディオデータ制御システム、２…ＤＪコントローラ、２Ａ…プレーヤー部、２Ｂ…ミキサー部、２Ｃ…ジョグダイヤル、２Ｄ…テンポスライダー、２Ｅ…パフォーマンスパッド、２Ｆ…ミキシング部、２Ｇ…ミキシング部、２Ｈ…ミキシング部、２Ｉ…ミキシング部、３…コンピュータ、４…スピーカー、５…ケーブル、６…アナログケーブル、２１…オーディオデータ受信部、２２…オーディオデータ出力部、２３…バッファ、２４…テンポ解析部、２５…再生操作制御部、２６…ループ再生制御部、２７…接続異常判定部、３１…記憶装置、３２…デコーダ、３３…オーディオデータ送信部、３４…接続判定情報重畳部、ＡＤ１…オーディオデータ、ＡＤ２…オーディオデータ、ＡＤ３…オーディオデータ、Ｔ１…テンポ、Ｔ２…テンポ、Ｔ３…テンポ。
【図１】
0006549322.tif 000002
【図２】
0006549322.tif 000003
【図３】
0006549322.tif 000004
【図４】
0006549322.tif 000005